(57)【要約】【課題】安価でかつ簡素な構成で、点消火ボタンの操作状態を認識し易くすることができるガスコンロを提供する。【解決手段】後方側の上部に被枢支部８Ｊを備える点消火ボタン８が、コンロ本体の前面部のボタン挿通用開口を通してボタン前端側部分８Ｆをコンロ前方側に突出させた状態で、かつ、消火位置と点火位置とに切換えるべく、被枢支部８Ｊをコンロ横幅方向に沿う軸心Ｑ回りで回動自在に枢支させた状態で設けられ、外面が一色となるように形成された点消火ボタン８とは異なる色に形成された操作状態認識用表示体３０が、ボタン前端側部分８Ｆにおける外面のうちの一部に露出する状態で点消火ボタン８に設けられている。【選択図】図８
2014040979.tif 000002
【特許請求の範囲】
【請求項１】
後方側の上部に被枢支部を備える点消火ボタンが、コンロ本体の前面部のボタン挿通用開口を通してボタン前端側部分をコンロ前方側に突出させた状態で、かつ、消火位置と点火位置とに切換えるべく、前記被枢支部をコンロ横幅方向に沿う軸心回りで回動自在に枢支させた状態で設けられているガスコンロであって、
外面が一色となるように形成された前記点消火ボタンとは異なる色に形成された操作状態認識用表示体が、前記ボタン前端側部分における外面のうちの一部に露出する状態で前記点消火ボタンに設けられているガスコンロ。
【請求項２】
前記ボタン前端側部分に、前記操作状態認識用表示体を嵌合するための嵌合用凹部が形成され、
前記操作状態認識用表示体が、前記嵌合用凹部に嵌合させた状態で前記点消火ボタンに装着されている請求項１記載のガスコンロ。
【請求項３】
前記操作状態認識用表示体が、前記ボタン前端側部分の先端側部において露出する状態で前記点消火ボタンに設けられている請求項１又は２記載のガスコンロ。
【請求項４】
前記操作状態認識用表示体が、前記コンロ横幅方向に沿って帯状に露出する状態で前記点消火ボタンに設けられている請求項３記載のガスコンロ。
【請求項５】
前記操作状態認識用表示体を備えた一対の前記点消火ボタンが、前記コンロ横幅方向に沿って並設されている請求項４記載のガスコンロ。
【請求項６】
一対の前記点消火ボタンが、外面の色を同じ色とする状態に構成され、
一対の前記点消火ボタンの夫々に設けられる前記操作状態認識用表示体が、外面の色を同じ色とする状態に構成されている請求項５記載のガスコンロ。
【請求項７】
一対の前記点消火ボタンの前記ボタン前端側部分の先端側部が、平面視において、隣接する前記点消火ボタンから離れる側の離間側端部分を、漸次コンロ後方側に後退する傾斜状にし、かつ、前記離間側端部分に連なる状態で、隣接する前記点消火ボタンの存在側に位置する主体部分を、前記コンロ横幅方向に沿う直線状とする形状に構成され、
前記操作状態認識用表示体が、前記ボタン前端側部分の先端側部における前記主体部分及び前記離間側端部分に亘る状態で設けられている請求項５又は６記載のガスコンロ。
【請求項８】
前記コンロ横幅方向に沿う方向視において前記ボタン前端側部分と同形状の中間部材が、一対の前記点消火ボタンの間に配設され、
前記中間部材が、外面が一色となるように形成され、
前記中間部材とは異なる色に形成された対比用表示体が、前記中間部材の先端側部において露出する状態で前記中間部材に設けられている請求項５〜７のいずれか１項に記載のガスコンロ。
【請求項９】
前記対比用表示体が、前記コンロ横幅方向に沿って帯状に露出する状態で前記中間部材に設けられている請求項８記載のガスコンロ。
【請求項１０】
前記対比用表示体の外面の色が、前記操作状態認識用表示体の外面の色と異なるように構成されている請求項８又は９記載のガスコンロ。
【請求項１１】
一対の前記点消火ボタン及び前記中間部材が組み付けられる操作部装着枠が、前記コンロ本体の前面部に設けられ、
前記操作部装着枠の前面部を覆う状態でカバー体が装備され、
前記カバー体に、前記ボタン挿通用開口が、一対の前記点消火ボタン及び前記中間部材を挿通させる形態で形成されている請求項８〜１０のいずれか１項に記載のガスコンロ。
【請求項１２】
前記中間部材に、前記対比用表示体を装着する対比用表示体装着用凹部が形成され、
前記対比用表示体が、前記対比用表示体装着用凹部に嵌め込んだ状態で前記中間部材に組み付けられている請求項８〜１１のいずれか１項に記載のガスコンロ。
【発明の詳細な説明】
【技術分野】
【０００１】
本発明は、後方側の上部に被枢支部を備える点消火ボタンが、コンロ本体の前面部のボタン挿通用開口を通してボタン前端側部分をコンロ前方側に突出させた状態で、かつ、消火位置と点火位置とに切換えるべく、前記被枢支部をコンロ横幅方向に沿う軸心回りで回動自在に枢支させた状態で設けられているガスコンロに関する。
【背景技術】
【０００２】
かかるガスコンロは、点消火ボタンを点火位置と消火位置とに切換えることによって、ガスコンロに装備したコンロバーナの点火操作及び消火操作を行えるようにしたものである。
また、ガスコンロにグリルを装備している場合においては、グリル用バーナに対応する点消火ボタンが設けられて、グリル用バーナに対する点火操作や消火操作が行われることになる。
【０００３】
ちなみに、点消火ボタンは、一般に、消火位置に復帰付勢され、消火位置から後方側に押し込むことにより点火位置に操作されて、その点火位置に保持され、点火位置から少し後方に押し込むことにより、消火位置に復帰する形態で設けられることになる。
そして、点消火ボタンのボタン前端側部分が、消火位置にて水平方向に沿う水平姿勢となり、点火位置にて下向きに傾斜する傾斜姿勢になることが多い。
【０００４】
かかるガスコンロの従来例として、点消火ボタンに、点火確認ランプを装備して、点消火ボタンが点火位置にあることを、点火確認ランプにて表示するように構成されたガスコンロがある（例えば、特許文献１参照。）。
【０００５】
ちなみに、特許文献１には、点消火ボタンの構成についての詳細な説明はないが、一般に、点消火ボタンは、合成樹脂の成型加工によって製作されるものであって、外面が一色となるように形成されることになる。
外面が一色となるように形成された点消火ボタンは、姿勢の変化を目視によって認識し難いため、点消火ボタンが点火位置と消火位置とのいずれであるかを、認識し難いものとなるが、特許文献１においては、点火確認ランプを装備することによって、点消火ボタンが点火位置と消火位置とのいずれであるかを、つまり、点消火ボタンの操作状態を認識し易いものとしている。
【先行技術文献】
【特許文献】
【０００６】
【特許文献１】特開２０００−１９３２４８号公報
【発明の概要】
【発明が解決しようとする課題】
【０００７】
従来のガスコンロは、点消火ボタンの操作状態を認識し易くするために、点消火ボタンに点火確認ランプを装備するものであるが、点消火ボタンに点火確認ランプを装備するには、点火確認ランプを点消火ボタンに組付けることに加えて、電気配線作業を必要としかつ点火確認ランプを点灯及び消灯する制御回路等を必要とするものであるため、点消火ボタンに点火確認ランプを装備する構成は、高価な点火ランプや制御回路を装備することによって高価となるばかりでなく、複雑でかつ製作が煩雑となるものであり、改善が望まれるものであった。
【０００８】
本発明は、上記実情に鑑みて為されたものであって、その目的は、安価でかつ簡素な構成で、点消火ボタンの操作状態を認識し易くすることができるガスコンロを提供する点にある。
【課題を解決するための手段】
【０００９】
本発明のガスコンロは、後方側の上部に被枢支部を備える点消火ボタンが、コンロ本体の前面部のボタン挿通用開口を通してボタン前端側部分をコンロ前方側に突出させた状態で、かつ、消火位置と点火位置とに切換えるべく、前記被枢支部をコンロ横幅方向に沿う軸心回りで回動自在に枢支させた状態で設けられているものであって、その第１特徴構成は、
外面が一色となるように形成された前記点消火ボタンとは異なる色に形成された操作状態認識用表示体が、前記ボタン前端側部分における外面のうちの一部に露出する状態で前記点消火ボタンに設けられている点を特徴とする。
【００１０】
すなわち、点消火ボタンの外面の色とは異なる色の操作状態認識用表示体が、ボタン前端側部分における外面のうちの一部に露出しているから、点消火ボタンの姿勢が変化すると、操作状態認識用表示体における露出部分の位置が変化するため、その露出している操作状態認識用表示体の位置の変化によって、点消火ボタンが消火位置と点火位置とのいずれであるかを、換言すれば、点消火ボタンの操作状態を認識し易いものとなる。
【００１１】
そして、操作状態認識用表示体をボタン前端側部分における外面のうちの一部に露出した状態で点消火ボタンに設けるには、例えば、点消火ボタンとは別体に製作した操作状態認識用表示体を点消火ボタンに組付けるようにする、あるいは、点消火ボタンとは別体に製作した操作状態認識用表示体を点消火ボタンの成形用型の内部に挿入して、点消火ボタンと一体的に成型する等の手段を採用できるが、いずれにしても、操作状態認識用表示体を点消火ボタンに設ける構成は、操作状態認識用表示体が安価であるため、安価な構成であり、しかも、製作が容易な簡素な構成となる。
【００１２】
要するに、本発明の第１特徴構成によれば、安価でかつ簡素な構成で、点消火ボタンの操作状態を認識し易くすることができるガスコンロを提供できる。
【００１３】
本発明のガスコンロの第２特徴構成は、上記第１特徴構成に加えて、
前記ボタン前端側部分に、前記操作状態認識用表示体を嵌合するための嵌合用凹部が形成され、
前記操作状態認識用表示体が、前記嵌合用凹部に嵌合させた状態で前記点消火ボタンに装着されている点を特徴とする。
【００１４】
すなわち、操作状態認識用表示体が、点消火ボタンのボタン前端側部分に形成した嵌合用凹部に嵌合させた状態で点消火ボタンに装着されるものであるから、操作状態認識用表示体を嵌合用凹部にて保持した状態で点消火ボタンに適切に組付けることができる。
【００１５】
しかも、操作状態認識用表示体として、異なる色となる複数種の操作状態認識用表示体を用意して、複数種の操作状態認識用表示体から選択したものを、点消火ボタンに装着することにより、異なる色の操作状態認識用表示体を操作点消火ボタンに装着することができるものとなる。
【００１６】
説明を加えると、点消火ボタンに設けられる操作状態認識用表示体の色は、製作するガスコンロの形態に応じて外観を美麗にする色が選択される等、種々の色が要望されることになるが、異なる色となる複数種の操作状態認識用表示体を用意して、それらの操作状態認識用表示体のうちから、必要とする色の操作状態認識用表示体を選択して、点消火ボタンに装着することができるのである。
【００１７】
そして、異なる色となる複数種の操作状態認識用表示体を用意して、複数種の操作状態認識用表示体から選択したものを、点消火ボタンに装着するものであるから、異なる色の操作状態認識用表示体を装着した複数種の点消火ボタンを得ることができながらも、点消火ボタンの管理が煩雑となることを抑制できる。
【００１８】
つまり、異なる色の操作状態認識用表示体を装着した複数種の点消火ボタンを製作するにあたり、異なる色の複数種の操作状態認識用表示体の夫々と点消火ボタンとを一体的に成型するようにして、異なる色の操作状態認識用表示体が装備された複数種の点消火ボタンを成型により製作することが考えられる。
しかしながら、この場合には、点消火ボタンとして、異なる色の操作状態認識用表示体が一体成型により装備された複数種の点消火ボタンを用意することになるため、点消火ボタンの管理が煩雑となる。
【００１９】
要するに、本発明の第２特徴構成によれば、上記第１特徴構成による作用効果に加えて、操作状態認識用表示体を点消火ボタンに適切に組付けることができ、しかも、点消火ボタンの管理が煩雑となることを抑制した状態で、異なる色の操作状態認識用表示体を操作点消火ボタンに装着できるガスコンロを提供できる。
【００２０】
本発明のガスコンロの第３特徴構成は、上記第１又は第２特徴構成に加えて、
前記操作状態認識用表示体が、前記ボタン前端側部分の先端側部において露出する状態で前記点消火ボタンに設けられている点を特徴とする。
【００２１】
すなわち、点消火ボタンは、後方側の上部の被枢支部を中心にして上下に揺動することによって、消火位置と点火位置とに切換えられるものであるから、点消火ボタンにおけるボタン前端側部分の先端側部は、点消火ボタンが消火位置と点火位置とに切換えられるに伴って、上下に大きく移動することになる。
【００２２】
そして、操作状態認識用表示体が、上下に大きく移動することになるボタン前端側部分の先端側部において露出する状態で点消火ボタンに設けられるものであるから、点消火ボタンが消火位置と点火位置とに切換えられるに伴って、操作状態認識用表示体における露出部分の位置が上下に大きく移動するものとなるため、露出している操作状態認識用表示体の位置の変化を適切に認識し易いものとなり、その結果、点消火ボタンが消火位置と点火位置とのいずれであるか、換言すれば、点消火ボタンの操作状態を適切に認識できる。
【００２３】
要するに、本発明の第３特徴構成によれば、上記第１又は第２特徴構成による作用効果に加えて、点消火ボタンの操作状態を適切に認識できるガスコンロを提供できる。
【００２４】
本発明のガスコンロの第４特徴構成は、上記第３特徴構成に加えて、
前記操作状態認識用表示体が、前記コンロ横幅方向に沿って帯状に露出する状態で前記点消火ボタンに設けられている点を特徴とする。
【００２５】
すなわち、操作状態認識用表示体が、コンロ横幅方向に沿って帯状に露出するものであるから、コンロ横幅方向に沿って大きな範囲に亘って操作状態認識用表示体が露出するものとなるため、操作状態認識用表示体の存在が認識し易いものとなる。
【００２６】
このように、操作状態認識用表示体の存在が認識し易いものとなるとなるため、露出している操作状態認識用表示体の位置の変化を一層適切に認識し易いものとなり、その結果、点消火ボタンが消火位置と点火位置とのいずれであるか、換言すれば、点消火ボタンの操作状態を一層適切に認識できるのである。
【００２７】
要するに、本発明の第４特徴構成によれば、上記第３特徴構成による作用効果に加えて、点消火ボタンの操作状態を一層適切に認識できるガスコンロを提供できる。
【００２８】
本発明のガスコンロの第５特徴構成は、上記第４特徴構成に加えて、
前記操作状態認識用表示体を備えた一対の前記点消火ボタンが、前記コンロ横幅方向に沿って並設されている点を特徴とする。
【００２９】
すなわち、コンロ横幅方向に沿って並設されている一対の点消火ボタンの夫々に、ボタン前端側部分の先端部においてコンロ横幅方向に沿って帯状に露出する状態で操作状態認識用表示体が備えられているから、一対の点消火ボタンの夫々において露出している操作状態認識用表示体を対比しながら、一対の点消火ボタンの操作状態を的確に認識できるものとなる。
【００３０】
説明を加えると、例えば、一対の点消火ボタンのうちの一方が消火位置で、かつ、他方が点火位置の場合には、消火位置の点消火ボタンにおいてコンロ横幅方向に沿って帯状に露出している操作状態認識用表示体の露出部分に対して、点火位置の点消火ボタンにおいてコンロ横幅方向に沿って帯状に露出している操作状態認識用表示体の露出部分が、上下方向に位置を異ならせて存在する状態となるため、それら操作状態認識用表示体の露出部分を対比しながら、消火位置の点消火ボタンや点火位置の点消火ボタンの操作状態を的確に認識できるのである。
【００３１】
また、一対の点消火ボタンのいずれもが、消火位置あるいは点火位置の場合には、一対の点消火ボタンの夫々においてコンロ横幅方向に沿って帯状に露出している操作状態認識用表示体の露出部分が、コンロ横幅方向に沿って大きく伸びる状態で直線状に並ぶものとなるため、一対の点消火ボタン夫々の操作状態認識用表示体の位置を認識しながら、一対の点消火ボタンが消火位置であるか、点火位置であるかを的確に認識できる。
【００３２】
要するに、本発明の第５特徴構成によれば、上記第４特徴構成による作用効果に加えて、コンロ横幅方向に並ぶ一対の点消火ボタンの操作状態を的確に認識できるガスコンロを提供できる。
【００３３】
本発明のガスコンロの第６特徴構成は、上記第５特徴構成に加えて、
一対の前記点消火ボタンが、外面の色を同じ色とする状態に構成され、
一対の前記点消火ボタンの夫々に設けられる前記操作状態認識用表示体が、外面の色を同じ色とする状態に構成されている点を特徴とする。
【００３４】
すなわち、コンロ横幅方向に沿って並ぶ一対の点消火ボタンの外面の色が同じ色であり、かつ、一対の点消火ボタンの夫々に設けられる操作状態認識用表示体の外面の色が同じ色であるから、例えば、一対の点消火ボタンのいずれもが、消火位置あるいは点火位置の場合において、外面の色が同じ色の一対の点消火ボタンの夫々においてコンロ横幅方向に沿って露出している操作状態認識用表示体の露出部分が、同じ色で、コンロ横幅方向に沿って大きく伸びる状態で直線状に並ぶものとなり、使用者にすっきり感を感じさせることができる等、外観を美麗にすることができる。
【００３５】
しかも、外面の色が同じ色の一対の点消火ボタンの夫々においてコンロ横幅方向に沿って帯状に露出している操作状態認識用表示体が、同じ色であるから、一対の点消火ボタンの夫々において外面に露出している操作状態認識用表示体の露出部分同士を、対比する相手として意識し易いものとなるため、一対の点消火ボタンの操作状態認識用表示体の露出部分の相対位置を把握し易いものとなり、一対の点消火ボタンの操作状態を認識し易いものとなる。
【００３６】
要するに、本発明の第６特徴構成によれば、上記第５特徴構成による作用効果に加えて、外観を美麗にすることができ、しかも、一対の点消火ボタンの操作状態を認識し易いガスコンロを提供できる。
【００３７】
本発明のガスコンロの第７特徴構成は、上記第５又は第６特徴構成に加えて、
一対の前記点消火ボタンの前記ボタン前端側部分の先端側部が、平面視において、隣接する前記点消火ボタンから離れる側の離間側端部分を、漸次コンロ後方側に後退する傾斜状にし、かつ、前記離間側端部分に連なる状態で、隣接する前記点消火ボタンの存在側に位置する主体部分を、前記コンロ横幅方向に沿う直線状とする形状に構成され、
前記操作状態認識用表示体が、前記ボタン前端側部分の先端側部における前記主体部分及び前記離間側端部分に亘る状態で設けられている点を特徴とする。
【００３８】
すなわち、一対の点消火ボタンのボタン前端側部分の先端側部が、平面視において、隣接する点消火ボタンから離れる側の離間側端部分を、漸次コンロ後方側に後退する傾斜状にし、かつ、離間側端部分に連なる状態で、隣接する点消火ボタンの存在側に位置する主体部分を、前記コンロ横幅方向に沿う直線状とする形状に構成されているから、一対の点消火ボタンがガスコンロの前面側にて調理作業をする作業者に引っ掛かり難いものとなって、使用勝手を向上できる。
【００３９】
つまり、コンロ横幅方向に沿って並設されている一対の点消火ボタンの夫々におけるボタン前端側部分の先端側部の離間側端部分が、漸次コンロ後方側に後退する傾斜状であるから、ガスコンロの前面側にて調理作業をする作業者の衣服等が、先端側部の離間側端部分に接触しても引っ掛かり難いものとなる。
【００４０】
また、操作状態認識用表示体が、前記ボタン前端側部分の先端側部における前記主体部分及び前記離間側端部分に亘る状態で設けられているから、点消火ボタンを横外方側から視認する場合にも、点消火ボタンの操作状態が認識し易い。
【００４１】
つまり、ガスコンロの前面側にて調理作業をする作業者は、一対の点消火ボタンを横外方側から目視することもあるが、コンロ横幅方向に沿って並設されている一対の点消火ボタンの夫々におけるボタン前端側部分の先端側部の離間側端部分が、漸次コンロ後方側に後退する傾斜状に形成されて、その離間側端部分にも、操作状態認識用表示体が露出する状態となっているから、点消火ボタンを横外方側から視認する場合にも、点消火ボタンの操作状態が認識し易いのである。
【００４２】
要するに、本発明の第７特徴構成によれば、上記第５又は第６特徴構成による作用効果に加えて、一対の点消火ボタンがガスコンロの前面側にて調理作業をする作業者に引っ掛かり難いものとなって、使用勝手を向上でき、しかも、点消火ボタンを横外方側から視認する場合にも、点消火ボタンの操作状態が認識し易いガスコンロを提供できる。
【００４３】
本発明のガスコンロの第８特徴構成は、上記第５〜第７特徴構成のいずれかに加えて、
前記コンロ横幅方向に沿う方向視において前記ボタン前端側部分と同形状の中間部材が、一対の前記点消火ボタンの間に配設され、
前記中間部材が、外面が一色となるように形成され、
前記中間部材とは異なる色に形成された対比用表示体が、前記中間部材の先端側部において露出する状態で前記中間部材に設けられている点を特徴とする。
【００４４】
すなわち、コンロ横幅方向視においてボタン前端側部分と同形状の中間部材が、一対の点消火ボタンの間に配設されているから、一対の点消火ボタンの一方側を操作する際に、他方側の点消火ボタンをも誤って操作する誤操作状態が発生する不都合を回避できるものとなる。
【００４５】
つまり、一対の点消火ボタンの一方側を操作する際に、誤って、手指が他方側の点消火ボタンの存在側部分を操作するようなことがあっても、中間部材が手指にて押し操作されることになって、他方側の点消火ボタンが押し操作されることを回避できるのである。
【００４６】
また、中間部材が、外面が一色となるように形成され、その中間部材とは異なる色に形成された対比用表示体が、中間部材の先端側部において露出する状態で中間部材に設けられているから、一対の点消火ボタンが備える操作状態認識用表示体の露出部分の上下方向の位置を、中間部材が備える対比用表示体の露出部分と対比しながら認識できるため、一対の点消火ボタンが消火位置と点火位置とのいずれであるか、つまり、一対の点消火ボタンの操作状態を一層良好に認識できるものとなる。
【００４７】
つまり、中間部材が備える対比用表示体の露出部分は、点消火ボタンの操作に拘わらず同じ位置に位置するものであるから、対比用表示体の露出部分と操作状態認識用表示体の露出部分とを対比しながら、一対の点消火ボタンの操作状態を一層良好に認識できるのである。
【００４８】
要するに、本発明の第８特徴構成によれば、上記第５〜第７特徴構成のいずれかによる作用効果に加えて、誤操作状態が発生する不都合を回避でき、しかも、一対の点消火ボタンの操作状態を一層良好に認識できるガスコンロを提供できる。
【００４９】
本発明のガスコンロの第９特徴構成は、上記第８特徴構成に加えて、
前記対比用表示体が、前記コンロ横幅方向に沿って帯状に露出する状態で前記中間部材に設けられている点を特徴とする。
【００５０】
すなわち、対比用表示体が、コンロ横幅方向に沿って帯状に露出する状態で中間部材に設けられているから、対比用表示体の露出部分がコンロ横幅方向に沿って延びた状態を仮想しながら、対比用表示体の露出部分の上下位置を把握し易いため、操作状態認識用表示体の露出部分と対比用表示体の露出部分との対比を的確に行い易いものとなり、一対の点消火ボタンの操作状態を一層的確に認識できる。
【００５１】
要するに、本発明の第９特徴構成によれば、上記第８特徴構成による作用効果に加えて、操作状態認識用表示体の露出部分と対比用表示体の露出部分との対比を的確に行い易いものとなって、一対の点消火ボタンの操作状態を一層的確に認識できるガスコンロを提供できる。
【００５２】
本発明のガスコンロの第１０特徴構成は、上記第８又は第９特徴構成に加えて、
前記対比用表示体の外面の色が、前記操作状態認識用表示体の外面の色と異なるように構成されている点を特徴とする。
【００５３】
すなわち、対比用表示体の外面の色が、操作状態認識用表示体の外面の色と異なるように構成されているから、対比用表示体における露出部分と操作状態認識用表示体における露出部分とを、的確に区別しながら、両者を対比できるため、操作状態認識用表示体の露出部分と対比用表示体の露出部分との対比を一層的確に行い易いものとなる。
【００５４】
要するに、本発明の第１０特徴構成によれば、上記第８又は第９特徴構成による作用効果に加えて、操作状態認識用表示体の露出部分と対比用表示体の露出部分との対比を一層的確に行えるガスコンロを提供できる。
【００５５】
本発明のガスコンロの第１１特徴構成は、上記第８〜第１０特徴構成のいずれかに加えて、
一対の前記点消火ボタン及び前記中間部材が組み付けられる操作部装着枠が、前記コンロ本体の前面部に設けられ、
前記操作部装着枠の前面部を覆う状態でカバー体が装備され、
前記カバー体に、前記ボタン挿通用開口が、一対の前記点消火ボタン及び前記中間部材を挿通させる形態で形成されている点を特徴とする。
【００５６】
すなわち、コンロ本体の前面部に設けた操作部装着枠に、一対の点消火ボタン及び中間部材を組付けるようにし、そして、操作部装着枠の前面部を覆うカバー体を設けるものであるから、カバー体を外した状態で、一対の点消火ボタン及び中間部材を、操作部装着枠に良好に組付けることができる。
【００５７】
また、カバー体に、ボタン挿通用開口が、一対の点消火ボタン及び中間部材を挿通させる形態で形成されているから、一対の点消火ボタン及び中間部材が組み付けられた操作部装着枠の前面部をカバー体にて覆うようにしながら、カバー体に形成したボタン挿通用開口を通して、一対の点消火ボタン及び中間部材を前方側に突出させるようにして、コンロ本体の前面部を美麗にできる。
【００５８】
要するに、本発明の第１１特徴構成によれば、上記第８〜第１０特徴構成のいずれかによる作用効果に加えて、一対の点消火ボタン及び中間部材の組付け作業性の向上を図ることができ、しかも、コンロ本体の前面部を美麗にできるガスコンロを提供できる。
【００５９】
本発明のガスコンロの第１２特徴構成は、上記第８〜第１１特徴構成のいずれかに加えて、
前記中間部材に、前記対比用表示体を装着する対比用表示体装着用凹部が形成され、
前記対比用表示体が、前記対比用表示体装着用凹部に嵌め込んだ状態で前記中間部材に組み付けられている点を特徴とする。
【００６０】
すなわち、対比用表示体が、中間部材に形成した対比用表示体装着用凹部に嵌め込んだ状態で中間部材に組み付けられるものであるから、対比用表示体を対比用表示体装着用凹部にて保持した状態で中間部材に適切に組付けることができる。
【００６１】
しかも、対比用表示体として、異なる色となる複数種の対比用表示体を用意して、複数種の対比用表示体から選択したものを、中間部材に装着することにより、異なる色の対比用表示体を中間部材に装着できるものとなる。
【００６２】
説明を加えると、中間部材に設けられる対比用表示体の色は、製作するガスコンロの形態に応じて外観を美麗にする色が選択される等、種々の色が要望されることになるが、異なる色となる複数種の対比用表示体を用意して、それらの対比用表示体のうちから、必要とする色の対比用表示体を選択して、中間部材に装着することができるのである。
【００６３】
そして、異なる色となる複数種の対比用表示体を用意して、複数種の対比用表示体から選択したものを、中間部材に装着するものであるから、異なる色の対比用表示体を装着した複数種の中間部材を得ることができながらも、中間部材の管理が煩雑となることを抑制できる。
【００６４】
つまり、異なる色の対比用表示体を装着した複数種の中間部材を製作するにあたり、異なる色の複数種の対比用表示体の夫々と中間部材とを一体的に成型するようにして、異なる色の対比用表示体が装備された複数種の中間部材を成型により製作することが考えられる。
しかしながら、この場合には、中間部材として、異なる色の対比用表示体が一体成型により装備された複数種の中間部材を用意することになるため、中間部材の管理が煩雑となる。
【００６５】
要するに、本発明の第１２特徴構成によれば、上記第８〜第１１特徴構成のいずれかによる作用効果に加えて、対比用表示体を中間部材に適切に組付けることができ、しかも、中間部材の管理が煩雑となることを抑制した状態で、異なる色の対比用表示体を中間部材に装着できるガスコンロを提供できる。
【図面の簡単な説明】
【００６６】
【図１】ガスコンロの斜視図
【図２】同ガスコンロの斜視図
【図３】下側操作部カバーを開いた状態の運転操作部の斜視図
【図４】上側操作部カバー及び下側操作部カバーを外した状態の運転操作部の斜視図
【図５】同状態の正面図
【図６】上方側運転操作部を分解した状態の斜視図
【図７】上方側運転操作部を分解した状態の斜視図
【図８】点消火ボタンと中間部材とが並ぶ状態の斜視図
【図９】点消火ボタンの装着部を示す切欠側面図
【図１０】同部を示す切欠側面図
【図１１】図５におけるＸＩ−ＸＩ線矢視図
【図１２】点消火ボタンと中間部材とが並ぶ状態の背面図
【図１３】左方側の操作状態認識用表示体の装着途中状態を示す平面図
【図１４】同表示体の斜視図
【図１５】同表示体の正面図
【図１６】図１１におけるＸＶＩ−ＸＶＩ線矢視図
【図１７】中間部材の縦断側面図
【図１８】中間部材と対比用表示体との分解状態の斜視図
【発明を実施するための形態】
【００６７】
〔実施形態〕
本発明の実施形態を図面に基づいて説明する。
（ガスコンロの全体構成）
図１及び図２に示すように、加熱調理器としてのガスコンロＧＣが、調理器本体Ｈの上面部に、コンロバーナ１として、標準火力バーナ１Ａ、小火力バーナ１Ｂ及び大火力バーナ１Ｃを備え、且つ、調理器本体Ｈの横幅方向中央部にグリル部Ｇを備える形態に構成されている。
【００６８】
調理器本体Ｈは、上部が開口された箱状の金属製のケーシング２を主要部として構成されるものであって、ケーシング２の内部には、図示は省略するが、グリル部Ｇを構成するグリル庫、コンロバーナ１の混合管、グリル部Ｇに装備したグリルバーナの混合管等、種々の機器類が装備されている。
ちなみに、ケーシング２の内部における前面側の左右両側部には、後述する運転操作部Ｍを構成するために、合成樹脂製の操作部装着枠Ｂ（図６参照）が組付けられることになる。
【００６９】
調理器本体Ｈの上部には、ガラス製の天板３が配置され、調理器本体Ｈの上面部の後部側には、グリル部Ｇの燃焼排ガスを排気するためのグリル排気口４が形成されている。
また、天板３の上部には、コンロバーナ１にて加熱される鍋等の調理容器を載置するための五徳５が、３つのコンロバーナ１の夫々に対応して設けられている。
【００７０】
このガスコンロＧＣは、図示は省略するが、キッチンキャビネットの上方開口部から下方に挿入されてキッチンキャビネットに組み付けられる、いわゆるビルトインタイプとして構成されるものであり、キッチンキャビネットに組み付けられた状態においては、調理器本体Ｈの前面部が、キッチンキャビネットの前面開口に臨ませた状態となる。
尚、調理器本体Ｈの横側壁における前方側箇所には、調理器本体Ｈの横端部と前面開口との間の隙間を塞ぐ左右一対の隙間挿入部材Ｐが装着されている。
【００７１】
図１及び図２に示すように、調理器本体Ｈにおける前面部の左方側の横端部部分及び右方側の横端部部分には、運転操作部Ｍが設けられ、左右の運転操作部Ｍの夫々には、上方側運転操作部ＭＵと下方側運転操作部ＭＳとが並設されている。
そして、左右両側の下方側運転操作部ＭＳが、調理器本体Ｈの内方に引退させた引退位置（図１参照）と調理器本体Ｈの前方に突出させた突出位置（図２参照）とに出退自在に構成されている。
つまり、左右両側の下方側運転操作部ＭＳが、運転操作指令部Ｎを上面部に備える出退式操作部に構成されている。
【００７２】
また、左右両側の上方側運転操作部ＭＵには、前面を覆う上側操作部カバー６が装備され、左右両側の下方側運転操作部ＭＳには、前面を覆う下側操作部カバー７が装備されている。
そして、左右の上側操作部カバー６及び左右の下側操作部カバー７が、調理器本体Ｈの横端部とキッチンキャビネットの前面開口との間を覆うべく調理器本体Ｈの横外方に張り出す状態で設けられている。
【００７３】
つまり、左右の上側操作部カバー６には、調理器本体Ｈの横外方に張り出す上側張出部分６Ａが設けられ、左右の下側操作部カバー７には、調理器本体Ｈの横外方に張り出す下側張出部分７Ａが設けられている（図３参照）。
そして、上側張出部分６Ａ及び下側張出部分７Ａが、上述した隙間挿入部材Ｐの前部相当箇所を覆う状態で、調理器本体Ｈの横端部とキッチンキャビネットの前面開口との間を覆うように構成されている。
【００７４】
左右の上方側運転操作部ＭＵの夫々には、押し操作式の点消火ボタン８、及び、コンロ横幅方向に沿ってスライド操作されるスライド操作式の火力調節具９が配設されている。
すなわち、左方の上方側運転操作部ＭＵには、押し操作式の点消火ボタン８として、標準火力バーナ１Ａに対する点火及び消火を指令する標準火力用点消火ボタン８Ａ、及び、小火力バーナ１Ｂに対する点火及び消火を指令する小火力用点消火ボタン８Ｂが、コンロ横幅方向に沿って並ぶ状態で装備されている。
【００７５】
加えて、左方の上方側運転操作部ＭＵには、スライド操作式の火力調節具９として、標準火力バーナ１Ａの火力を調節する標準火力用火力調節具９Ａ、及び、小火力バーナ１Ｂの火力を調節する小火力用火力調節具９Ｂが、コンロ横幅方向に沿って並ぶ状態で装備されている。
【００７６】
また、右方の上方側運転操作部ＭＵには、押し操作式の点消火ボタン８として、大火力バーナ１Ｃに対する点火及び消火を指令する大火力用点消火ボタン８Ｃ、及び、グリルバーナに対する点火及び消火を指令するグリル用点消火ボタン８Ｄが、コンロ横幅方向に沿って並ぶ状態で装備されている。
加えて、右方の上方側運転操作部ＭＵには、スライド操作式の火力調節具９として、大火力バーナ１Ｃの火力を調節する大火力用火力調節具９Ｃが装備されている。
ちなみに、グリルバーナの火力は、右方の上方側運転操作部ＭＵに設けた火力切替スイッチＳＷ（図３及び図４参照）にて変更調節されることになる。
【００７７】
図９及び図１０に示すように、点消火ボタン８は、後端側上部がコンロ横幅方向に沿う軸心Ｑ回りで回動自在に枢支されて、コンロ後方側に押し込み操作されることによって、コンロ前方側に復帰付勢された器具栓スライダ１０を押し移動させるように構成されている。
すなわち、図示は省略するが、標準火力バーナ１Ａ、小火力バーナ１Ｂ、大火力バーナ１Ｃ、及び、グリルバーナの夫々に対応させて、ガス燃料の供給を断続しかつガス燃料の供給量を調節する器具栓が設けられており、各器具栓に装備した器具栓スライダ１０が、標準火力用点消火ボタン８Ａ、小火力用点消火ボタン８Ｂ、大火力用点消火ボタン８Ｃ、及び、グリル用点消火ボタン８Ｄにて押し移動させるように構成されている。
【００７８】
器具栓スライダ１０は、コンロ前後幅方向の前方側位置に位置する状態（図９参照）から、点消火ボタン８にて後方側位置に押し移動されると（図１０参照）、その後方側位置に保持され、後方側位置から後方側に向けて点消火ボタン８にて少しだけ押し移動されると、保持が解除されて、点消火ボタン８を押し移動させながら前方側位置に復帰移動するように構成されるものであり、そして、器具栓は、器具栓スライダ１０が前方側位置に位置するとガス燃料の供給を停止する状態となり、器具栓スライダ１０が後方側位置に位置するとガス燃料を供給する状態となるように構成されている。
尚、器具栓スライダ１０の具体構成や器具栓の具体構成は周知であるので、本実施形態においては詳細な説明を省略する。
【００７９】
すなわち、点消火ボタン８は、自重にて後方側に揺動する状態に付勢されており、器具栓スライダ１０が前方側位置に位置すると消火位置となり、器具栓スライダ１０が後方側位置に位置すると点火位置となるように構成されている。
つまり、点消火ボタン８は、消火位置から後方側に揺動した点火位置に揺動操作されることになり、かつ、点火位置において後方側に揺動操作されることにより消火位置側に復帰移動するように構成されている。
【００８０】
ちなみに、標準火力用火力調節具９Ａ、小火力用火力調節具９Ｂ、及び、大火力用火力調節具９Ｃは、標準火力バーナ１Ａ、小火力バーナ１Ｂ、及び、大火力バーナ１Ｃに対応する器具栓に、コンロ横幅方向に揺動自在に枢支されて、その揺動により、ガス燃料の供給量を調節するように構成されている。
尚、図示は省略するが、グリルバーナに対応する器具栓には、火力調節用の電磁弁が装備されて、この電磁弁の作動を制御する制御手段（図示せず）が、火力切替スイッチＳＷの指令に基づいて、火力調節用の電磁弁を作動されることになる。
【００８１】
左方の下方側運転操作部ＭＳの運転操作指令部Ｎは、標準火力バーナ１Ａ及び小火力バーナ１Ｂに対する運転情報を指令するものであって、具体的には、燃焼している標準火力バーナ１Ａ及び小火力バーナ１Ｂを設定時間が経過すると自動的に消火するタイマ運転や、やかん等の被加熱容器に収納した湯水が沸騰すると、燃焼している標準火力バーナ１Ａ及び小火力バーナ１Ｂを自動的に消火する湯沸し運転等、各種の運転を実行するための運転情報を指令することになる。
【００８２】
右方の下方側運転操作部ＭＳの運転操作指令部Ｎは、大火力バーナ１Ｃ及びグリルバーナに対する運転情報を指令するものであって、具体的には、大火力バーナ１Ｃについては、標準火力バーナ１Ａ及び小火力バーナ１Ｂと同様に、タイマ運転や湯沸し運転等の各種の運転を実行するための運転情報を指令することになる。
また、グリルバーナについては、燃焼しているグリルバーナを設定時間が経過すると自動的に消火するタイマ運転や、燃焼排気温度に基づいて被調理物が焼き上がりであることを推定すると、燃焼しているグリルバーナを自動的に消火する自動運転等、各種の運転を実行するための運転情報を指令することになる。
【００８３】
（運転操作部の構成）
次に、左右の運転操作部Ｍの夫々に設けた上方側運転操作部ＭＵ及び下方側運転操作部ＭＳについて詳述するが、左右の上方側運転操作部ＭＵは同様に構成され、左右の下方側運転操作部ＭＳは同様に構成されるものであるため、以下、右方側の運転操作部Ｍに設けた右方の上方側運転操作部ＭＵ及び右方の下方側運転操作部ＭＳを代表として説明する。
【００８４】
図３〜図７に示すように、ケーシング２の前面側の右側部には、前述した合成樹脂製の操作部装着枠Ｂが装備されている。
操作部装着枠Ｂは、コンロ前後幅方向に向かう角筒状に構成された下方側部分ＢＳと、平面視形状がコの字状に構成された上方側部分ＢＵとを備える形態に構成されている。
そして、操作部装着枠Ｂの上方側部分ＢＵに、点消火ボタン８等が組み付けられて、上方側運転操作部ＭＵが構成され、操作部装着枠Ｂの下方側部分ＢＳに、下方側運転操作部ＭＳが組み付けられている。
【００８５】
操作部装着枠Ｂにおける下方側部分ＢＳの左右の側壁部分１２の間に、枢支軸１１が横倒れ姿勢で架設されている。
そして、下方側運転操作部ＭＳが、図３に示すように、コンロ前後幅方向視にて逆Ｕ字状に構成され、その左右の壁部分１３の下端部が、枢支軸１１に前後揺動自在に枢支されている。
つまり、下方側運転操作部ＭＳが、枢支軸１１を中心とした前後揺動により引退位置と突出位置とに切換え自在に構成されている。
【００８６】
また、下方側運転操作部ＭＳには、前面部を開閉する内蓋１４が設けられている。
この内蓋１４は、枢支軸１１に下端部が支持されて、枢支軸１１を中心とした前後揺動により開き状態と閉じ状態に切換え自在に構成されている。
尚、操作部装着枠Ｂの下方側部分ＢＳには、電池収納ボックス１５がコンロ前後幅方向に沿って出退操作自在に設けられており、内蓋１４には、電池収納ボックス１５を挿脱する挿脱用開口１４Ａが形成されている。
【００８７】
下側操作部カバー７が、枢支軸１１にて下端部が支持されて、枢支軸１１を中心とした前後揺動により下方側運転操作部ＭＳに対して開閉されるように構成されている。
すなわち、下側操作部カバー７の下端縁部の左右両側に、枢支軸１１に外嵌する係合部７ａが設けられており、これらの係合部７ａが枢支軸１１に外嵌することにより、下側操作部カバー７が、枢支軸１１を中心に前後揺動することにより、開き状態と閉じ状態とに切換えられるように構成されている。
【００８８】
下側操作部カバー７の下端縁部の係合部７ａが、一部を開口させたＵ字状に形成されており、下側操作部カバー７をコンロ前後方向に移動させながら、係合部７ａを枢支軸１１に対して係脱できるように構成されている（図４参照）。
したがって、下側操作部カバー７が、開き状態において、係合部７ａを枢支軸１１に対して係脱することにより、下方側運転操作部ＭＳに対して着脱できるように構成されている。
【００８９】
下側操作部カバー７の上方側には、左右一対の弾性変形自在な舌片７ｂが、後方側に向けて突出する状態で設けられ、それらの舌片７ｂの先端部には、下方側運転操作部ＭＳの左右の壁部分１３に形成した係合孔１６に係合自在な係合突起１７が設けられている。
そして、開き状態の下側操作部カバー７（図３参照）を上方側に揺動させるに伴って、舌片７ｂが、下方側運転操作部ＭＳの左右の壁部分１３と内蓋１４の間の隙間を通して、下方側運転操作部ＭＳの内部に進入し、舌片７ｂの先端の係合突起１７が、下方側運転操作部ＭＳの左右の壁部分１３に形成した係合孔１６に係合することによって、下側操作部カバー７が、閉じ状態に保持されるように構成されている。
【００９０】
尚、閉じ状態の下側操作部カバー７を開き状態に切換え操作する際には、下側張出部分７Ａ等を把持して、下側操作部カバー７を下側に向けて開き操作することにより、舌片７ｂの先端の係合突起１７が、下方側運転操作部ＭＳの左右の壁部分１３に形成した係合孔１６から外れて、下側操作部カバー７を開き状態に切換えることができる。
【００９１】
このように、下側操作部カバー７を開閉できるものであるから、電池収納ボックス１５に収納した電池を交換する電池交換作業や、操作部装着枠Ｂの下方側部分ＢＳの内方側箇所に装備した電子機器等の機器類の点検を行う機器点検作業を行う際等においては、下側操作部カバー７を開き状態にすることになる。
ちなみに、機器点検作業を行う際には、内蓋１４を開くことになる。
【００９２】
また、下側操作部カバー７の開き状態において、下側操作部カバー７の下端縁部の係合部７ａを枢支軸１１に対して係脱しながら、下側操作部カバー７を着脱できるものであるから、調理器本体Ｈをキッチンキャビネットに装着する際には、下側操作部カバー７を外しておき、調理器本体Ｈをキッチンキャビネットに装着した後において、下側操作部カバー７を、下方側運転操作部ＭＳを覆う状態に装着できる。
【００９３】
ちなみに、下方側運転操作部ＭＳは、突出位置に復帰付勢され、そして、引退位置側に向けて大きく押し移動されると、引退位置に自動的に保持され、かつ、引退位置から後方側に少し後方側に押し移動させることにより保持が解除されて、突出位置に復帰移動するように構成されることになるが、その構成は周知であるので、本実施形態においては説明を省略する。
【００９４】
図５及び図６に示すように、操作部装着枠Ｂの上方側部分ＢＵの前面部を形成する前壁部分１８には、上述の火力切替スイッチＳＷや、各種の表示ランプ類ＬＰが装備され、また、図６及び図７に示すように、点消火ボタン８としての、大火力用点消火ボタン８Ｃ及びグリル用点消火ボタン８Ｄを前方に突出させるためのボタン挿通口１９、及び、火力調節具９としての、大火力用火力調節具９Ｃを前方に突出させるための調節具挿通口２０が形成されている。
【００９５】
点消火ボタン８は、図９及び図１０に示すように、操作部装着枠Ｂの上方側部分ＢＵの前壁部分１８の背部側箇所に、上述した軸心Ｑ回りで回動するように支持されることになるが、その詳細は後述する。
そして、本実施形態の点消火ボタン８には、点消火ボタン８が後方側に押し移動されても後方側に移動しないように牽制するチャイルドロック用の牽制部材２１が、牽制作用位置と牽制解除位置とに切換え操作自在に装備されて、この牽制部材２１が、器具栓スライダ１０を押し作用するように構成されているが、本実施形態においては、牽制部材２１の構成や牽制部材２１を牽制作用状態と牽制解除状態に切換える構成についての説明は省略する。
【００９６】
点消火ボタン８としての、大火力用点消火ボタン８Ｃ及びグリル用点消火ボタン８Ｄの間には、図３及び図４に示すように、コンロ横幅方向に沿う方向視において、点消火ボタン８のボタン前端側部分８Ｆと同形状の中間部材２２が配設されている。この中間部材２２は、操作部装着枠Ｂとは別体に成型されて、操作部装着枠Ｂに組み付けられることになるが、その詳細は後述する。
【００９７】
上側操作部カバー６には、操作部装着枠Ｂの前壁部分１８の構成に対応させて、点消火ボタン８としての、大火力用点消火ボタン８Ｃ及びグリル用点消火ボタン８Ｄをコンロ前方に突出させるボタン挿通用開口２５、火力調節具９としての、大火力用火力調節具９Ｃをコンロ前方に突出させる調節具挿通用開口２６、火力切替スイッチＳＷを挿通させるスイッチ用開口２７、及び、複数の表示用開口２８等が形成されている（図３参照）。
【００９８】
上側操作部カバー６が、操作部装着枠Ｂの上方側部分ＢＵに対して着脱自在に装備されて、調理器本体ＨをキッチンキャビネットＫＮに装着する際には、外しておき、調理器本体ＨをキッチンキャビネットＫＮに装着した後において、上方側運転操作部ＭＵを覆う状態に装着できるように構成されているが、本実施形態においては、上側操作部カバー６を着脱自在に装着する構成の詳細な説明は省略する。
【００９９】
ちなみに、上側操作部カバー６を操作部装着枠Ｂの上方側部分ＢＵに対して着脱できるものであるから、操作部装着枠Ｂの前壁部分１８に装着した火力切替スイッチＳＷや各種の表示ランプ類ＬＰ等の点検作業を行う際にも、上側操作部カバー６を操作部装着枠Ｂの上方側部分ＢＵに対して着脱できるようになっている。
【０１００】
（点消火ボタンの構成）
点消火ボタン８は、図６、図８及び図１６に示すように、コンロ横幅方向視にて、ボタン後端側部分８Ｒよりも上下幅が狭く形成されたボタン前端側部分８Ｆを、ボタン後端側部分８Ｒからコンロ前方側に突出させる形状に構成され、ボタン前端側部分８Ｆが、上側操作部カバー６のボタン挿通用開口２５を通して、コンロ前方側に突出するように構成されている（図３参照）。
【０１０１】
点消火ボタン８は、図８、図１２及び図１６に示すように、後方側が開口しかつ前方側に膨出する袋状で、且つ、後方側上部に、被枢支部としての一対の軸状部８Ｊを備える形状に、合成樹脂の成型加工によって形成されるものであり、かつ、外面が一色（例えば、灰色）となるように形成されている。
尚、点消火ボタン８の壁部には、牽制部材２１を装着するための開口部が形成されることになるが、この開口部も、成型加工の際に形成されることになる。
【０１０２】
点消火ボタン８としての、大火力用点消火ボタン８Ｃ及びグリル用点消火ボタン８Ｄの夫々は、左右対称となるように構成されるものであって、具体的には、図１１に示すように、大火力用点消火ボタン８Ｃ及びグリル用点消火ボタン８Ｄの夫々におけるボタン前端側部分８Ｆの先端側部Ｔが、平面視において、隣接する点消火ボタン８から離れる側の離間側端部分Ｔｅを、漸次コンロ後方側に後退する傾斜状にし、かつ、離間側端部分Ｔｅに連なる状態で、隣接する点消火ボタン８の存在側に位置する主体部分Ｔｍを、コンロ横幅方向に沿う直線状とする形状に構成されている。
【０１０３】
点消火ボタン８としての、大火力用点消火ボタン８Ｃ及びグリル用点消火ボタン８Ｄの夫々は、外面の色を同じ色（例えば、灰色）とする状態に構成され、そして、それらの点消火ボタン８とは異なる色（例えば、黒色）に形成された操作状態認識用表示体３０が、ボタン前端側部分８Ｆの外面のうちの一部に露出する状態で点消火ボタン８に設けられている。
つまり、操作状態認識用表示体３０が、ボタン前端側部分８Ｆの先端側部Ｔにおける主体部分Ｔｍ及び離間側端部分Ｔｅに亘る状態で設けられているが、その具体構成については後述する。
【０１０４】
（中間部材の構成）
中間部材２２は、図６、図７、図１７及び図１８に示すように、後方側が開口しかつ前方側に膨出する袋状で、且つ、後方側の上下両端部に、一対の接続部２２ｓを備える形状に、合成樹脂の成型加工によって形成されるものであり、かつ、外面が一色となるように形成されている。
ちなみに、本実施形態においては、中間部材２２の外面の色が、点消火ボタン８としての、大火力用点消火ボタン８Ｃ及びグリル用点消火ボタン８Ｄの外面の色と同じ色（例えば、灰色）に構成されている。
【０１０５】
そして、中間部材２２とは異なる色でかつ操作状態認識用表示体３０とは異なる色（例えば、銀色）に形成された対比用表示体３１が、中間部材２２の先端側部において露出する状態で中間部材に設けられているが、その具体構成については後述する。
【０１０６】
（点消火ボタン及び中間部材の装着構成）
図７に示すように、操作部装着枠Ｂの上方側部分ＢＵに、前壁部分１８の左右両端側から後方に延びる側壁部１８Ａが設けられている。
そして、側壁部１８Ａに、点消火ボタン８の左右の軸状部８Ｊのうちの、隣接する点消火ボタン８から離れる側の軸状部８Ｊが嵌合する嵌合孔３２が形成されている。
【０１０７】
また、前壁部分１８の上方側のコンロ横幅方向の中央部には、コンロ後方側に開口する凹部状の軸支部３３が設けられ、点消火ボタン８の左右の軸状部８Ｊのうちの、隣接する点消火ボタン８の存在側の軸状部８Ｊが、軸支部３３に挿入されている。
そして、軸支部３３に挿入した軸状部８Ｊが軸支部３３から離脱するのを阻止すべく、軸状部８Ｊを受止める受止部材３４が、操作部装着枠Ｂの上方側部分ＢＵにおける背面部にボルト固定されるように構成されている。
【０１０８】
したがって、点消火ボタン８は、一対の軸状部８Ｊが嵌合孔３２と軸支部３３とによって枢支されて、上述の如く、コンロ横幅方向に沿う軸心Ｑ回りで回動するように構成されている。
【０１０９】
図６及び図７に示すように、前壁部分１８におけるボタン挿通口１９の下縁部分に相当する箇所に、中間部材２２の一対の接続部２２ｓのうちの、下方の接続部２２ｓが前後動不能及び下方移動不能に係合する係合部３５が設けられ、また、図６に示すように、前壁部分１８におけるボタン挿通口１９の上縁部分に相当する箇所に、中間部材２２の一対の接続部２２ｓのうちの、上方の接続部２２ｓを後方移動不能に受止める受部３６が設けられている。
【０１１０】
したがって、中間部材２２は、下方側の接続部２２ｓを係合部３５に係合し、かつ、上方側の接続部２２ｓを受部３６にて受止支持した状態で、上方側の接続部２２ｓを前壁部分１８にボルト固定することにより、前壁部分１８に装着されるように構成されている。
そして、前壁部分１８を覆う状態に上側操作部カバー６を装着した状態において、ボタン挿通用開口２５が、一対の点消火ボタン８及び中間部材２２をコンロ前方側に挿通させるように構成されている（図３参照）。
【０１１１】
（操作状態認識用表示体の構成及び装着構成）
次に、操作状態認識用表示体３０について説明するが、図１１に示すように、操作状態認識用表示体３０としての、大火力用点消火ボタン８Ｃに装着される大火力側操作状態認識用表示体３０Ｃと、グリル用点消火ボタン８Ｄに装着されるグリル側操作状態認識用表示体３０Ｄとは、概ね左右対称に構成されるものであるため、以下、グリル用点消火ボタン８Ｄに装着されるグリル側操作状態認識用表示体３０Ｄを代表として説明し、必要に応じて、大火力用点消火ボタン８Ｃに装着される大火力側操作状態認識用表示体３０Ｃについて説明を加える。
【０１１２】
図１１〜図１５に示すように、グリル側操作状態認識用表示体３０Ｄは、平面視形状が湾曲状でかつ正面視形状が板状の帯板状に構成されるものであって、前面部が、グリル用点消火ボタン８Ｄの先端側部Ｔの形状に沿う形状に形成されている。
【０１１３】
グリル側操作状態認識用表示体３０Ｄの両端部のうちの、大火力用点消火ボタン８Ｃから離れる側の端部に、離間側接当部３０ａ及び円形状の係止部３０ｂが形成され、また、グリル側操作状態認識用表示体３０Ｄの両端部のうちの、大火力用点消火ボタン８Ｃに近接する側の端部に、近接側接当部３０ｃが形成されている。
【０１１４】
グリル側操作状態認識用表示体３０Ｄの下面に、下向きの被係止突起３０ｄが、グリル側操作状態認識用表示体３０Ｄの長手方向に並ぶ状態で一対形成されている。
被係止突起３０ｄは、図１６に示すように、後側面が前方側ほど下方に位置する傾斜面に形成され、かつ、前側面が上下方向に沿う面に形成されている。
【０１１５】
グリル側操作状態認識用表示体３０Ｄの後方側縁部に、前方側に凹入する形状の退避用凹部３０ｅが、グリル側操作状態認識用表示体３０Ｄの長手方向に並べて一対形成されている。
ちなみに、図１１に示すように、グリル用点消火ボタン８Ｄに装着するグリル側操作状態認識用表示体３０Ｄに形成する退避用凹部３０ｅの形成位置と、大火力用点消火ボタン８Ｃに装着する大火力側操作状態認識用表示体３０Ｃに形成する退避用凹部３０ｅの形成位置とが、操作状態認識用表示体３０の長手方向において異なる位置となるように構成されている。
【０１１６】
図１１、図１３及び図１６に示すように、グリル用点消火ボタン８Ｄのボタン前端側部分８Ｆに、グリル側操作状態認識用表示体３０Ｄを嵌合するための嵌合用凹部として、嵌合用凹溝Ｕが先端側部Ｔに沿って形成されている。
【０１１７】
図１１及び図１３に示すように、グリル用点消火ボタン８Ｄの嵌合用凹溝Ｕの両端部のうちの、大火力用点消火ボタン８Ｃから離れる側の端部に、グリル側操作状態認識用表示体３０Ｄの離間側接当部３０ａ及び円形状の係止部３０ｂが係合する離間側係合部４０が形成され、また、グリル用点消火ボタン８Ｄの嵌合用凹溝Ｕの両端部のうちの、大火力用点消火ボタン８Ｃに近接する側の端部に、グリル側操作状態認識用表示体３０Ｄの近接側接当部３０ｃが係合する近接側係合部４１が形成されている。
【０１１８】
図１２及び図１６に示すように、グリル用点消火ボタン８Ｄの嵌合用凹溝Ｕにおける下方側縁部に、グリル側操作状態認識用表示体３０Ｄの下向きの被係止突起３０ｄを係止する左右一対の係止突起４２が形成されている。
【０１１９】
図１１〜図１３に示すように、グリル用点消火ボタン８Ｄの嵌合用凹溝Ｕにおける下方側縁部と上方側縁部とを接続する状態で左右一対の柱状部材４３が、グリル用点消火ボタン８Ｄに装着するグリル側操作状態認識用表示体３０Ｄに形成した退避用凹部３０ｅの形成位置と対応する位置に形成されている。
ちなみに、大火力用点消火ボタン８Ｃに形成する左右一対の柱状部材４３は、大火力用点消火ボタン８Ｃに装着する大火力側操作状態認識用表示体３０Ｃに形成する退避用凹部３０ｅの形成位置と対応する位置に形成される。
【０１２０】
尚、点消火ボタン８に柱状部材４３を備えさせることによって、合成樹脂にて成型加工した点消火ボタン８における嵌合用凹溝Ｕの形成部分が、成型加工後の冷却により変形することを抑制できるようになっている。
【０１２１】
グリル側操作状態認識用表示体３０Ｄをグリル用点消火ボタン８Ｄに装着する手順について説明すると、図１３に示すように、先ず、グリル側操作状態認識用表示体３０Ｄの離間側接当部３０ａ及び係止部３０ｂを、グリル用点消火ボタン８Ｄの離間側係合部４０に当て付ける状態にし、その状態において、グリル側操作状態認識用表示体３０Ｄをグリル用点消火ボタン８Ｄに近づけるように揺動させて、グリル側操作状態認識用表示体３０Ｄをグリル用点消火ボタン８Ｄの嵌合用凹溝Ｕに嵌合させることになる。
【０１２２】
グリル側操作状態認識用表示体３０Ｄがグリル用点消火ボタン８Ｄの嵌合用凹溝Ｕに嵌合した状態においては、グリル側操作状態認識用表示体３０Ｄの離間側接当部３０ａ及び係止部３０ｂが、グリル用点消火ボタン８Ｄの離間側係合部４０に係合し、グリル側操作状態認識用表示体３０Ｄの近接側接当部３０ｃが、グリル用点消火ボタン８Ｄの近接側係合部４１に係合し、グリル側操作状態認識用表示体３０Ｄの被係止突起３０ｄが、グリル用点消火ボタン８Ｄの係止突起４２に係止され、さらには、グリル側操作状態認識用表示体３０Ｄの退避用凹部３０ｅの内部に、グリル用点消火ボタン８Ｄの柱状部材４３が係入する状態となる。
【０１２３】
以上の説明から明らかな如く、本実施形態においては、操作状態認識用表示体３０が、点消火ボタン８におけるボタン前端側部分８Ｆの先端側部Ｔに、コンロ横幅方向に沿って帯状に露出する状態で装着されることになる。
【０１２４】
ちなみに、グリル側操作状態認識用表示体３０Ｄを間違えて大火力用点消火ボタン８Ｃに装着しようとした場合や、大火力側操作状態認識用表示体３０Ｃを間違えてグリル用点消火ボタン８Ｄに装着しようとした場合には、柱状部材４３が退避用凹部３０ｅに係入しないため、誤った装着が回避されることになる。
【０１２５】
（対比用表示体の構成及び装着構成）
対比用表示体３１は、図１１、図１７及び図１８に示すように、コンロ横幅方向に沿う横長状の主体部分３１ａの後部に、左右一対の脚部３１ｂを後方に向けて延出した形状に形成されている。
そして、主体部分３１ａの左右両端部に、接当部４５が形成され、一対の脚部３１ｂの端部に、係止用凸部４６が形成されている。
【０１２６】
図１７及び図１８に示すように、中間部材２２の先端側部に、対比用表示体３１を装着する対比用表示体装着用凹部として、対比用表示体装着用凹溝４７が形成されている。
また、中間部材２２の先端側部分には、図１１に示すように、主体部分３１ａの左右の接当部４５が接当する受止部４８が形成され、中間部材２２の内方側箇所には、対比用表示体３１の一対の脚部３１ｂにおける係止用凸部４６を係止する係止用段部４９が形成されている。
【０１２７】
そして、対比用表示体３１を中間部材２２に装着する際には、一対の脚部３１ｂを先に挿入する状態で、対比用表示体装着用凹溝４７の内部に対比用表示体３１を挿入することにより、対比用表示体３１を対比用表示体装着用凹溝４７に嵌合させることになる。
【０１２８】
対比用表示体３１を対比用表示体装着用凹溝４７に嵌合させた状態においては、対比用表示体３１の左右の接当部４５が、中間部材２２の受止部４８に接当し、かつ、対比用表示体３１の一対の脚部３１ｂにおける係止用凸部４６が、中間部材２２の内方側箇所の係止用段部４９に係止されることになる。
【０１２９】
以上の説明から明らかな如く、本実施形態においては、対比用表示体３１が、中間部材２２の先端側部に、コンロ横幅方向に沿って露出する状態で装着されることになる。
【０１３０】
以上の通り、本実施形態のガスコンロＧＣにおいては、図８に示すように、点消火ボタン８に、一部を露出する状態で操作状態認識用表示体３０が装備されているから、操作状態認識用表示体３０の位置を確認することによって、点消火ボタン８が点火位置と消火位置とのいずれであるか、つまり、点消火ボタン８の操作状態を認識し易いものとなる。
しかも、コンロ横幅方向に並ぶ点消火ボタン８の間に配置した中間部材２２に、対比用表示体３１が装備されているから、操作状態認識用表示体３０と対比用表示体３１との対比によって、操作状態認識用表示体３０の位置を認識し易いため、点消火ボタン８の操作状態を一層認識し易いものとなる。
【０１３１】
〔別実施形態〕
以下、別実施形態を列記する。
【０１３２】
（１）上記実施形態においては、調理器本体Ｈの前面部における左右両側の横端部側部分に、上方側運転操作部ＭＵと、出退式操作部としての下方側運転操作部ＭＳとが並設される場合を例示したが、調理器本体Ｈの前面部における左右両側のうちの一方側の横端部側部分にのみ、上方側運転操作部ＭＵと下方側運転操作部ＭＳとが並設される場合にも、本発明は適用できるものである。
【０１３３】
（２）上記実施形態においては、上方側運転操作部ＭＵと、出退式操作部としての下方側運転操作部ＭＳとが並設される場合を例示したが、下方側運転操作部ＭＳとが装備されない場合、つまり、上方側運転操作部ＭＵのみが配設される場合にも、本発明は適用できるものである。
【０１３４】
（３）上記実施形態では、カバー体としての上側操作部カバー６が、調理器本体Ｈの横外方に張り出す状態で設けられる場合を例示したが、カバー体としての上側操作部カバー６が、横外方に張り出さない状態で設けられる場合にも、本発明は適用できるものである。
【０１３５】
（４）上記実施形態では、コンロ横幅方向に沿って並ぶ一対の点消火ボタン８の間に、中間部材２２が配設される場合を例示したが、中間部材２２を配設しない形態でも実施してもよい。
また、中間部材２２を配設する場合において、対比用表示体３１を、中間部材２２に装備しない形態で実施してもよい。
【０１３６】
（５）上記実施形態では、操作状態認識用表示体３０の色と対比用表示体３１の色とを異ならせる場合を例示したが、両者の色を同じ色にする形態で実施してもよい。
【０１３７】
（６）上記実施形態では、一対の点消火ボタン８が、コンロ横幅方向に沿って隣接して並ぶ場合を例示したが、複数の点消火ボタン８を、コンロ横幅方向に大きく離間させて設ける場合や、単一の点消火ボタン８を調理器本体Ｈの前面部に設ける場合においても、本発明は適用できるものである。
【０１３８】
（７）上記実施形態では、点消火ボタン８とは別体の操作状態認識用表示体３０が、点消火ボタン８の嵌合用凹部としての嵌合用凹溝Ｕに嵌合される状態で装着される場合を例示したが、点消火ボタン８の成形型の内部に操作状態認識用表示体３０を挿入して、点消火ボタン８と操作状態認識用表示体３０とを一体成型する等、点消火ボタン８と操作状態認識用表示体３０とを一体的に製作してもよい。
【０１３９】
（８）上記実施形態では、中間部材２２とは別体の対比用表示体３１が、中間部材２２の対比用表示体装着用凹部としての対比用表示体装着用凹溝４７に嵌合される状態で装着される場合を例示したが、中間部材２２の成形型の内部に対比用表示体３１を挿入して、中間部材２２と対比用表示体３１とを一体成型する等、中間部材２２と対比用表示体３１とを一体的に製作してもよい。
【０１４０】
（９）上記実施形態では、操作状態認識用表示体３０が、コンロ横幅方向に沿って帯状に露出する場合を例示したが、四角状、円状、三角状に露出する等、操作状態認識用表示体３０を点消火ボタン８におけるボタン前端側部分８Ｆの外面に露出させる形態は各種変更できる。
【０１４１】
（１０）上記実施形態では、操作状態認識用表示体３０が、点消火ボタン８のボタン前端側部分８Ｆの先端側部Ｔにおいて露出する場合を例示したが、例えば、点消火ボタン８のボタン前端側部分８Ｆにおける後方側部分において、操作状態認識用表示体３０をコンロ横幅方向に沿って帯状に露出させる等、点消火ボタン８のボタン前端側部分８Ｆにおいて操作状態認識用表示体３０を露出させる位置は、各種変更できる。
【０１４２】
（１１）上記実施形態では、対比用表示体３１が、中間部材２２の先端側部において、コンロ横幅方向に沿って帯状に露出する場合を例示したが、四角状、円状、三角状に露出する等、対比用表示体３１を中間部材２２の先端側部において露出させる形態は各種変更できる。
【符号の説明】
【０１４３】
６      カバー体
８      点消火ボタン
８Ｆ    ボタン前端側部分
８Ｊ    被枢支部
２２    中間部材
２５    ボタン挿通用開口
３０    操作状態認識用表示体
３１    対比用表示体
４７    対比用表示体装着用凹部
Ｂ      操作部装着枠
Ｈ      コンロ本体
Ｑ      軸心
Ｔ      先端側部
Ｔｅ    離間側端部分
Ｔｍ    主体部分
Ｕ      嵌合用凹部
【図１】
2014040979.tif 000003
【図２】
2014040979.tif 000004
【図３】
2014040979.tif 000005
【図４】
2014040979.tif 000006
【図５】
2014040979.tif 000007
【図６】
2014040979.tif 000008
【図７】
2014040979.tif 000009
【図８】
2014040979.tif 000010
【図９】
2014040979.tif 000011
【図１０】
2014040979.tif 000012
【図１１】
2014040979.tif 000013
【図１２】
2014040979.tif 000014
【図１３】
2014040979.tif 000015
【図１４】
2014040979.tif 000016
【図１５】
2014040979.tif 000017
【図１６】
2014040979.tif 000018
【図１７】
2014040979.tif 000019
【図１８】
2014040979.tif 000020